(57)【要約】【課題】塵埃が飲料水に混入することを防ぎながら、粘着剤の臭いが飲料水に移って味が劣化することを防ぐ、飲料水容器を提供する。【解決手段】飲料水容器は、軟素材で形成された容器本体と、容器本体の所定の位置に設けられた穿孔補助部材とを備える飲料水容器であって、前記穿孔補助部材は、側壁と、側壁の一端から外方に延出し容器本体に取り付けられるフランジと、側壁の他端に剥離可能に溶着され、側壁の他端側の開口を閉塞する蓋材とを含む。【選択図】図２
2019189318.tif 000002
【特許請求の範囲】
【請求項１】
軟素材で形成された容器本体と、
前記容器本体の所定の位置に設けられた穿孔補助部材とを備える飲料水容器であって、
前記穿孔補助部材は、
側壁と、
前記側壁の一端から外方に延出し前記容器本体に取り付けられるフランジと、
前記側壁の他端に剥離可能に溶着され、前記側壁の他端側の開口を閉塞する蓋材とを含む、
飲料水容器。
【発明の詳細な説明】
【技術分野】
【０００１】
本発明は、ウォーターサーバー等に用いられる飲料水容器に関するものである。
【背景技術】
【０００２】
軟包装材等を用いて形成された飲料水容器を収容して使用するウォーターサーバーが知られている。
【０００３】
特許文献１には、飲料水の入った袋（飲料水容器）をセットするボトルホルダーを備え、ボトルホルダーに袋をセットすると、ボトルホルダーの底面に設けられたニードルによって袋に孔が開けられ、流出した飲料水がニードルの通路を通って冷却タンクへ貯められるウォーターサーバーが開示されている。
【０００４】
また、特許文献２には、水袋収容部に収容された飲料水の入った水袋（飲料水容器）の上部に、フレキシブルな取水管路の先端に設けられた配管器具の中空針（ニードル）を突き刺して飲料水を取り出すことのできるウォーターサーバーが開示されている。
【先行技術文献】
【特許文献】
【０００５】
【特許文献１】特許第４６７７５０８号公報
【特許文献２】特許第５３８０５８４号公報
【発明の概要】
【発明が解決しようとする課題】
【０００６】
このような飲料水容器は、穿孔される箇所に筒状の穿孔補助部材が設けられ、穿孔時のニードルと飲料水容器との位置合わせや、穿孔後の位置ずれの抑制に用いられる。また、流通過程において穿孔補助部材内の容器本体表面に付着した塵埃が、穿孔の際に飲料水に混入すること防ぐために、穿孔補助部材の上端に剥離可能な蓋材を粘着剤を用いて取り付ける場合があった。
【０００７】
しかしながら、粘着剤を用いて蓋材を取り付けた場合、剥離後に穿孔補助部材に残った粘着剤が飲料水に触れることで、粘着剤の臭いが飲料水に移って味が劣化してしまうことがあった。
【０００８】
本発明はこのような課題に鑑みてなされたものであり、塵埃が飲料水に混入することを防ぎながら、飲料水の味が劣化することを防ぐ、飲料水容器を提供することを目的とする。
【課題を解決するための手段】
【０００９】
上記課題を解決するための本発明の一局面は、軟素材で形成された容器本体と、容器本体の所定の位置に設けられた穿孔補助部材とを備える飲料水容器であって、前記穿孔補助部材は、側壁と、側壁の一端から外方に延出し容器本体に取り付けられるフランジと、側壁の他端に剥離可能に溶着され、側壁の他端側の開口を閉塞する蓋材とを含む、飲料水容器である。
【発明の効果】
【００１０】
本発明によれば、塵埃が飲料水に混入することを防ぎながら、粘着剤の臭いが飲料水に移って味が劣化することを防ぐ、飲料水容器を提供することができる。
【図面の簡単な説明】
【００１１】
【図１】本発明の一実施形態に係る飲料水容器を収容したウォーターサーバーの模式図
【図２】本発明の一実施形態に係る飲料水容器の斜視図および拡大断面図
【図３】本発明の一実施形態に係る飲料水容器の拡大断面図
【発明を実施するための形態】
【００１２】
本発明の実施形態に係る飲料水容器について、図を参照して説明する。
【００１３】
＜構成＞
図１に、本発明の一実施形態に係る飲料水容器１００を収容したウォーターサーバー５００の模式図を示し、図２に、飲料水容器１００の斜視図とそのＡ−Ａ’線に沿った拡大断面図を示す。図２に示すように、飲料水容器１００は、容器本体１１０と、穿孔補助部材１２０と、蓋材１３０とを含んで構成される。
【００１４】
図１に示すように、飲料水容器１００は、ウォーターサーバー５００に収容して用いられる。飲料水容器１００は、ウォーターサーバー５００の収容部５１０に収容された後、ウォーターサーバー５００が備える中空のニードル５２０を用いて容器本体１１０の表面に飲料水を取出すための孔が穿孔される。ニードル５２０の先端付近には通孔が形成されており、通孔からニードル５２０の内部に流入した飲料水はウォーターサーバー５００の内部に設けられた貯水タンク５３０へ貯留される。貯水タンク５３０に貯留された飲料水は、給水栓５４０を通して外部へ取り出すことができる。
【００１５】
図１に示すように、ウォーターサーバー５００では、飲料水容器１００を貯水タンク５３０や給水栓５４０より上方に収容することで、大気圧や飲料水の自重によって飲料水を外部に取り出しているが、飲料水容器１００を貯水タンク５３０や給水栓５４０の下方に収容し、飲料水をポンプ等で吸い上げて外部に取り出してもよい。
【００１６】
また、ウォーターサーバー５００では、ニードル５２０を収容部５１０の底部に設けて飲料水容器１００の下方から穿孔しているが、フレキシブルな取水管路の先にニードルを設けて飲料水容器１００の上方から穿孔できるように構成してもよい。
【００１７】
また、ウォーターサーバー５００では、一旦、貯水タンク５３０に貯留した飲料水を給水栓５４０へ供給しているが、貯水タンク５３０を設けずに飲料水を給水栓５４０に直接導いてもよい。
【００１８】
（容器本体）
容器本体１１０は、軟素材（軟包装材料）で形成された包装袋である。容器本体１１０の内容量は特に限定されないが、用いられるウォーターサーバー５００の大きさに応じて例えば１リットル〜２０リットルの大きさに形成される。容器本体１１０の形状は特に限定されないが、例えば１枚の矩形状のフィルムを折り曲げて、合わせた端縁をシールして収容部を形成した三方シール袋や、四方シール袋等が好適に用いることができる。
【００１９】
容器本体１１０に用いられるフィルムは、単層フィルム、積層フィルムのいずれであってもよい。フィルムの材料は特に限定されないが、単層フィルムであれば、例えばポリエチレン（ＰＥ）を用いることができる。また、積層フィルムであれば、例えば、容器本体１１０の外方側からＰＥ／ナイロン（ＮＹ）／ＰＥ、ＰＥ／ＮＹ／ポリエチレンテレフタレート（ＰＥＴ）、ＰＥ／ＮＹ／透明蒸着ＰＥＴ、ＰＥ／ＮＹ／（ポリシクロオレフィン層を有するＰＥ）をそれぞれ積層したフィルムを用いることができる。
【００２０】
（穿孔補助部材）
穿孔補助部材１２０は、容器本体１１０の穿孔が予定される所定の位置に設けられる部材である。穿孔補助部材１２０は、側壁１２１と、側壁１２１の一端から外方に延出するように設けられたフランジ１２２とを含む。穿孔補助部材１２０は、側壁１２１が容器本体１１０の外面から外方に延出するように、フランジ１２２を容器本体１１０の外面に超音波等を用いた溶着等で固定することで容器本体１１０に取り付けられる。
【００２１】
穿孔補助部材１２０は、ニードル５２０により穿孔される所定の位置を示し、穿孔の後は側壁１２１によってニードル５２０と容器本体１１０との位置ずれを抑制することができる。
【００２２】
穿孔補助部材１２０は、側壁１２１のフランジ１２２とは反対側の端部から外方に延出する天面をさらに備えてもよい。
【００２３】
側壁１２１は、ニードル５２０が容器本体１１０に穿孔された状態を確実に保持するために、ウォーターサーバー５００が備える接続部材と係合してもよい。
【００２４】
穿孔補助部材１２０の材料は特に限定されないが、ＰＥ、ＰＥＴ、およびこれらの組み合せ等を用いることができる。
【００２５】
なお、側壁１２１は、塵埃が側壁１２１の内部へ入ることを防ぐために、開口、切欠き等を備えない形状であることが好ましい。また、フランジ１２２は、容器本体１１０のフィルムに曲がりやしわが発生しないよう、容器本体１１０と接触する領域が２つ以上に分離せず連続する形状であることが好ましい。
【００２６】
（蓋材）
蓋材１３０は、穿孔補助部材１２０の側壁１２１により囲まれた空間を閉塞することにより、容器本体１１０の表面の穿孔が予定される所定の位置に塵埃が付着することを防ぐためのフィルム状の部材である。蓋材１３０は、側壁１２１のフランジ１２２とは反対側の端部に粘着剤を用いることなく剥離可能に溶着されている。
【００２７】
蓋材１３０は、穿孔補助部材１２０の端部に対応する形状に形成してもよいし、穿孔補助部材１２０からの剥離を容易にするために、図２に示すように穿孔補助部材１２０の端部から半径方向に向かって延出する摘み部１３１を設けてもよい。
【００２８】
蓋材１３０は、例えば延伸基材層とシーラント層とを含む積層フィルムを用いることができる。シーラント層に低強度で溶着できる材料を用いることで、蓋材１３０にイージーピール性を付与することができる。蓋材１３０には、例えば、外方側からＰＥＴ／（ＰＥ＋ポリプロピレン（ＰＰ））、ＰＥＴ／ＮＹ／（ＰＥ＋ＰＰ）、透明蒸着ＰＥＴ／ＮＹ／（ＰＥ＋ＰＰ）、ＰＥＴ／（エステル系イージーピールシーラント材）をそれぞれ積層した積層フィルムを用いることができる。
【００２９】
図３に示すように、蓋材１３０は、飲料水容器１００をウォーターサーバー５００へ収容する前に、穿孔補助部材１２０から剥離される（図３の左図）。そして、蓋材１３０が剥離されることで露出した穿孔が予定される所定の位置に向かってニードル５２０を挿入して、容器本体１１０の表面をニードル５２０で穿孔する（図３の右図）。
【００３０】
このように、蓋材１３０によれば、飲料水容器１００をウォーターサーバーに収容するまで、蓋材１３０により容器本体１１０の穿孔が予定される所定の位置を覆うことができるため、飲料水容器１００の流通過程等において穿孔予定部１１に塵埃が付着することを防止できる。この結果、ニードル５２０による穿孔の際等に、容器本体１１０の表面に付着した塵埃が飲料水内に混入することを抑制できる。
【００３１】
＜効果＞
このように、本発明によれば、蓋材が、穿孔補助部材に粘着剤を用いることなく溶着によって剥離可能に取り付けられている。このため、剥離後に穿孔補助部材に粘着剤等が残らず、粘着剤の臭いが飲料水に移って味が劣化することを防止できる。
【産業上の利用可能性】
【００３２】
本発明は、ウォーターサーバー用の飲料水容器等に用いることができる。
【符号の説明】
【００３３】
１００    飲料水容器
１１０    容器本体
１２０    穿孔補助部材
１２１    側壁部
１２２    フランジ
１３０    蓋材
５００    ウォーターサーバー
５１０    収容部
５２０    ニードル
５３０    貯水タンク
５４０    給水栓
【図１】
2019189318.tif 000003
【図２】
2019189318.tif 000004
【図３】
2019189318.tif 000005